(57)【要約】【課題】二つの放電電極に高圧電圧を印可することによっても、多本数の冷陰極管を点灯する液晶パネル用直下型バックライトになり、少量のインバータを用いて、冷陰極管の長さより大きい寸法のバックライトを得る。【解決手段】管１と管３の間に、内壁に蛍光体をつけた複数の分岐管２を接続して、多岐式冷陰極蛍光管基本単元になる。二個或いは二個以上の多岐式冷陰極蛍光管基本単元を連接すし、貫通している管１から管１９まで全ての管及び分岐管に放電ガスを封入し、管１の端と管１９の端に放電電極を設けて、多岐式冷陰極蛍光ランプを得る。バックライトの面積を大きくなるために、二個或いは二個以上の多岐式冷陰極蛍光ランプを排列して、多岐式冷陰極蛍光ランプの数と対応する二つ或いは二つ以上の少数量のインバータによって、大面積の直下型液晶パネル用バックライトになる。【選択図】      図２
2004296258.tif 000002
【特許請求の範囲】
【請求項１】
管１と管３の間に複数の分岐管２を有し、管１のＡ端が閉め、Ｂ端に放電電極を設け、全ての分岐管２の内壁に紫外線を吸収し励起発光する蛍光体を付け、管３のＣ端が閉め、Ｄ端に放電電極を設け、貫通している管１と複数の分岐管２と管３に放電ガスを封入する多岐式冷陰極蛍光管ランプ。
【請求項２】
前記の多岐式冷陰極蛍光管ランプに、管１のＢ端と管３のＤ端は放電電極がないとき、多岐式冷陰極蛍光管基本単元になる。２個以上の多岐式冷陰極蛍光管基本単元を接続した、最初と最後の多岐式冷陰極蛍光管基本単元の端に放電電極を設け、貫通している各多岐式冷陰極蛍光管基本単元に放電ガスを封入する多岐式冷陰極蛍光管ランプ。
【請求項３】
請求項１と２のいずれかに記載の多岐式冷陰極蛍光管を２個或いは２個以上に配列した、大面積になる多岐式冷陰極蛍光ランプユニット。
【請求項４】
請求項１と２の多岐式冷陰極ランプ及び請求項３の多岐式冷陰極蛍光ランプユニットに、複数の各分岐管２を、管１と管３に設けるＴ型継手とＬ型継手によって管１と管３に接続する多岐式冷陰極ランプ製造方法。
【請求項５】
請求項１と２の多岐式冷陰極ランプ及び請求項３の多岐式冷陰極蛍光ランプユニットに、管１に複数の各分岐管と接続する継手を、直接に管１と一体になって形成し、管３に複数の各分岐管と接続する継手を、直接に管３と一体になって形成し、複数の各分岐管２を管１と管３にある継手と接続する多岐式冷陰極ランプ製造方法。
【請求項６】
請求項１から３までのいずれかに記載の多岐式冷陰極蛍光ランプ及び多岐式冷陰極蛍光ランプユニットを直下型バックライトに用いる液晶パネル。
【発明の詳細な説明】
【０００１】
【発明の属する技術分野】
本発明は、直下型バックライトに用いる多岐式冷陰極蛍光ランプ及びその製造方法に関する。
【０００２】
【従来の技術】
従来の直下型バックライトに用いる冷陰極蛍光ランプは、一本の冷陰極蛍光管の両端に放電電極を設けて、輝度を高める為に液晶パネルの背面に複数の冷陰極蛍光管を縦方向或いは横方向に並べられるようにしている。
【０００３】
【発明が解決しようとする課題】
しかしながら、以上の従来技術によれば、一本の冷陰極蛍光管に二つの放電電極があり、一つの冷陰極蛍光ランプ点灯用インバータが必要であった。複数の冷陰極蛍光管を使用すると、対応する複数個のインバータが必要であった。このためインバータ回路が複雑になり、基板面積が大きくなった一方、直下型バックライトの液晶パネルの寸法は冷陰極蛍光管の長さより大きいことができないという問題点があった。
【０００４】
本発明は、二つの放電電極と一つの冷陰極蛍光ランプ点灯用インバータによって、並べられる二個及び二個以上の複数の冷陰極蛍光管を点灯する多岐式冷陰極ランプを得ることを目的としており、さらに該多岐式冷陰極ランプを用いられて、直下型バックライトが冷陰極蛍光管の長さより倍になることが容易であり、
直下型バックライトの液晶パネルの寸法は冷陰極蛍光管の長さより大きいことができる、多岐式冷陰極ランプ及びその製造方法を提供することを目的としている。
【０００５】
【課題を解決するための手段】
上記目的を達成するために、本発明の多岐式冷陰極ランプにおいては、管１と管３の間に複数の分岐管２を有し、管１のＡ端を閉め、Ｂ端に電極を設け、全ての分岐管２の内壁に紫外線を吸収し励起発光する蛍光体と付けた、管３のＣ端を閉め、Ｄ端に電極を設け、貫通している管１と複数の分岐管２と管３に放電ガスを封入する多岐式冷陰極蛍光管ランプである。放電電極に高圧電圧を印可すると、電流が負極から複数の分岐管２を通過して正極へ流れる。その複数の分岐管は従来の冷陰極蛍光管になるよう点灯する。
【０００６】
また、上記の多岐式冷陰極蛍光管ランプに、管１のＢ端と管３のＤ端には電極がないと、多岐式冷陰極蛍光管基本単元になる。分岐管数が上記の多岐式冷陰極蛍光管ランプにある分岐管数より多くなる、又は、各分岐管に電子流量が均等になるために、２個以上の多岐式冷陰極蛍光管基本単元を接続した、最初と最後の多岐式冷陰極蛍光管基本単元の端に放電電極を設け、貫通している各多岐式冷陰極蛍光管基本単元に放電ガスを封入する多岐式冷陰極蛍光管ランプになる。放電電極に高圧電圧を印可すると、電流が負極から第一番目の多岐式冷陰極蛍光管基本単元の分岐管を通過して集合後、第二番目の多岐式冷陰極蛍光管基本単元の分岐管を通過して再集合、第三番目の多岐式冷陰極蛍光管基本単元の分岐管を通過し、このように最後に正極に流れる。電子流量が各多岐式冷陰極蛍光管基本単元の複数の分岐管に均等に流れて、各分岐管は従来の冷陰極蛍光管になるように点灯する。
【０００７】
上記の多岐式冷陰極蛍光管ランプは二列或いは二列以上に並べると、対応する二個或いは二個以上の少量のインバータで、分岐管の長さより倍になる大寸法なバックライトを得ることができる。
【０００８】
前記の多岐式冷陰極ランプの製造方法としては、多岐式冷陰極ランプ及び多岐式冷陰極蛍光ランプユニットに、蛍光体をつけた各分岐管２を、管１と管３に設けるＴ型継手とＬ型継手によって管１と管３に接続する多岐式冷陰極ランプ製造方法がある。
【０００９】
また、多岐式冷陰極ランプ及び請求項４の多岐式冷陰極蛍光ランプユニットに、管１に複数の各分岐管と接続する継手を、直接に管１と一体になって形成し、管３に複数の各分岐管と接続する継手を、直接に管３と一体になって形成し、蛍光体をつけた複数の各分岐管２を管１と管３にある継手と接続する多岐式冷陰極ランプ製造方法がある。
【００１０】
【発明の実施の形態】
発明の実施の形態を実施例にもとづき図面を参照して説明する。
図１において、管１に、Ｔ型継手４と５及びＬ型継手６を設け、Ａ端をＬ型継手によって閉める。管３に、Ｔ型継手７と８及びＬ型継手９を設け、Ｃ端をＬ型継手によって閉める。蛍光体をつけた３つの分岐管２は、Ｔ型継手４とＬ型継手９、Ｔ型継手５と８、及びＬ型継手６とＴ型継手７の間に接着剤で継手と接続する。用いられるＴ型継手とＬ型継手及び管１と管２の材質は、分岐管２と同じのガラス材質或いは非金属材料である。継手の内径は継手に挿入する管の外形と一致する。貫通している管１と複数の分岐管２と管３に放電ガスを封入して、管１のＢ端と管３のＤ端に放電電極を設けて、多岐式冷陰極蛍光管ランプになる。図１に示される多岐式冷陰極蛍光管ランプに分岐管２の数は三個であるが、二個或いは二個以上の分岐管２がある多岐式冷陰極蛍光管ランプの実施の形態は以上と同様である。
【００１１】
図２に示される実施例では、管１のＢ端と管３のＤ端に放電電極がない場合、多岐式冷陰極蛍光管単元にある。そして、管１と分岐管２と管３の一部は第一番目の多岐式冷陰極蛍光管単元になる。同様に、管３の一部と分岐管１０と管１１の一部は第二番目の多岐式冷陰極蛍光管単元になり、管１１の一部と分岐管１２と管１３の一部は第三番目の多岐式冷陰極蛍光管単元になり、管１３の一部と分岐管１４と管１５の一部は第四番目の多岐式冷陰極蛍光管単元になり、管１５の一部と分岐管１６と管１７の一部は第五番目の多岐式冷陰極蛍光管単元になり、管１７の一部と分岐管１８と管１９の一部は第六番目の多岐式冷陰極蛍光管単元になる。各多岐式冷陰極蛍光管単元の組立方式は図１に示される多岐式冷陰極蛍光管ランプと同様である。最後に、管１の端と管１９の端に放電電極を設けて、冷陰極管とする分岐管数が更に多い、多岐式冷陰極蛍光管ランプになる。図２に示される多岐式冷陰極蛍光管ランプに多岐式冷陰極蛍光管単元が六個であるが、二個或いは二個以上の多岐式冷陰極蛍光管単元がある多岐式冷陰極蛍光管ランプの実施の形態は以上と同様である。
【００１２】
図３に示される実施例では、図２に示される多岐式冷陰極蛍光管ランプの分岐管を横方向に並んで、三つの多岐式冷陰極蛍光管ランプを排列している大面積なバックライトである。管２０、管２２と管２４の端にある放電電極を正極になり、管２１、管２３と管２５の端にある放電電極を負極になるとき、各管内の電流は矢印の方向に流れて、各分岐管を点灯することができる。図３に示される多岐式冷陰極蛍光管ランプは三個であるが、二個或いは二個以上の多岐式冷陰極蛍光管を排列する実施の形態は以上と同様である。
【００１３】
図４に示される実施例では、図２に示される多岐式冷陰極蛍光管ランプの分岐管を縦方向に並んで、二個の多岐式冷陰極蛍光管を排列する。管２６と管２８の端に負極になり、管２７と管２９の端に正極になるとき、電流は矢印の方向に流れて、各分岐管を点灯することができる。図４に示される多岐式冷陰極蛍光管ランプは二個であるが、二個或いは二個以上の多岐式冷陰極蛍光管を排列する実施の形態は以上と同様である。
【００１４】
この実施形態によれば、一つのインバータ或いは少数量のインバータを用いて、従来の冷陰極管を相当する数多い分岐管を点灯する。このような多岐式冷陰極蛍光ランプを２個以上に排列することによって、分岐管の長さより倍になる大寸法なバックライトが容易であり、この多岐式冷陰極蛍光ランプを直下型バックライトに用いて従来の液晶パネルより大きいものを容易につくる。
【００１５】
【発明の効果】
以上説明したように、この発明によれば、一つのインバータ或いは少数量のインバータを用いて、従来の冷陰極管を相当する数多い分岐管を点灯することによって、冷陰極管の数と対応する多数のインバータが必要しない、このため大寸法の直下型バックライト液晶パネルのインバータ回路が簡単になる。さらに、少数量のこの多岐式冷陰極蛍光ランプを排列することによって、冷陰極管の長さよに倍や数倍になる大寸法のバックライトが容易になるので、従来の寸法より大型の液晶パネルを容易に実現する。
【図面の簡単な説明】
【図１】多岐式冷陰極蛍光ランプの正面図
【図２】多岐式冷陰極蛍光管単元で構成する多岐式冷陰極蛍光ランプの正面図
【図３】横方向に排列する多岐式冷陰極蛍光ランプユニットの正面図
【図４】縦方向に排列する多岐式冷陰極蛍光ランプユニットの正面図
【符号の説明】
１、３、１１、１３、１５、１７、１９、２０、２１、２２、２３、２４、２５、２６、２７、２８、２９  管
２、１０、１２、１４、１６、１８    複数の分岐管
４、５、７、８    Ｔ型継手
６、９    Ｌ型継手
Ａ、Ｂ、Ｃ、Ｄ    管の端
＋    正極    ―    負極
【図１】
2004296258.tif 000003
【図２】
2004296258.tif 000004
【図３】
2004296258.tif 000005
【図４】
2004296258.tif 000006